(57)【特許請求の範囲】
【請求項１】
無線基地局と移動局との間で、高速上りパケット通信及び高速下りパケット通信を行う移動通信方法であって、
前記高速上りパケット通信を制御する機能部が、第１送信時間間隔で、第１高速上りパケット通信用伝送速度割当チャネルを介して、第１移動局における該高速上りパケット通信用の伝送速度を該第１移動局に通知する工程と、
前記高速上りパケット通信を制御する機能部が、第２送信時間間隔で、第２高速上りパケット通信用伝送速度割当チャネルを介して、第２移動局における該高速上りパケット通信用の伝送速度を該第２移動局に通知する工程と、
前記高速上りパケット通信を制御する機能部が、前記高速下りパケット通信を制御する機能部に対して、前記第１送信時間間隔で、前記伝送速度を通知する前記第１高速上りパケット通信用伝送速度割当チャネルの本数を通知し、前記第２送信時間間隔で、前記伝送速度を通知する前記第２高速上りパケット通信用伝送速度割当チャネルの本数を通知する工程と、
前記高速下りパケット通信を制御する機能部が、通知された前記第１高速上りパケット通信用伝送速度割当チャネルの本数及び第２高速上りパケット通信用伝送速度割当チャネルの本数に基づいて、高速下りパケット通信用データチャネルにおける送信電力を決定する工程とを有することを特徴とする移動通信方法。
【請求項２】
無線基地局と移動局との間で、高速上りパケット通信及び高速下りパケット通信を行うように構成されている移動通信システムであって、
前記無線基地局は、前記高速上りパケット通信を制御する機能部及び前記高速下りパケット通信を制御する機能部を具備しており、
前記高速上りパケット通信を制御する機能部は、第１送信時間間隔で、第１高速上りパケット通信用伝送速度割当チャネルを介して、第１移動局における該高速上りパケット通信用の伝送速度を該第１移動局に通知するように構成されており、
前記高速上りパケット通信を制御する機能部は、第２送信時間間隔で、第２高速上りパケット通信用伝送速度割当チャネルを介して、第２移動局における該高速上りパケット通信用の伝送速度を該第２移動局に通知するように構成されており、
前記高速上りパケット通信を制御する機能部は、前記高速下りパケット通信を制御する機能部に対して、前記第１送信時間間隔で、前記伝送速度を通知する前記第１高速上りパケット通信用伝送速度割当チャネルの本数を通知し、前記第２送信時間間隔で、前記伝送速度を通知する前記第２高速上りパケット通信用伝送速度割当チャネルの本数を通知するように構成されており、
前記高速下りパケット通信を制御する機能部は、通知された前記第１高速上りパケット通信用伝送速度割当チャネルの本数及び第２高速上りパケット通信用伝送速度割当チャネルの本数に基づいて、高速下りパケット通信用データチャネルにおける送信電力を決定するように構成されていることを特徴とする移動通信システム。
【請求項３】
移動局との間で、高速上りパケット通信及び高速下りパケット通信を行うように構成されている無線基地局であって、
前記高速上りパケット通信を制御する機能部及び前記高速下りパケット通信を制御する機能部を具備しており、
前記高速上りパケット通信を制御する機能部は、第１送信時間間隔で、第１高速上りパケット通信用伝送速度割当チャネルを介して、第１移動局における該高速上りパケット通信用の伝送速度を該第１移動局に通知するように構成されており、
前記高速上りパケット通信を制御する機能部は、第２送信時間間隔で、第２高速上りパケット通信用伝送速度割当チャネルを介して、第２移動局における該高速上りパケット通信用の伝送速度を該第２移動局に通知するように構成されており、
前記高速上りパケット通信を制御する機能部は、前記高速下りパケット通信を制御する機能部に対して、前記第１送信時間間隔で、前記伝送速度を通知する前記第１高速上りパケット通信用伝送速度割当チャネルの本数を通知し、前記第２送信時間間隔で、前記伝送速度を通知する前記第２高速上りパケット通信用伝送速度割当チャネルの本数を通知するように構成されており、
前記高速下りパケット通信を制御する機能部は、通知された前記第１高速上りパケット通信用伝送速度割当チャネルの本数及び第２高速上りパケット通信用伝送速度割当チャネルの本数に基づいて、高速下りパケット通信用データチャネルにおける送信電力を決定するように構成されていることを特徴とする無線基地局。
【請求項４】
前記高速下りパケット通信を制御する機能部は、共通パイロットチャネルにおける送信電力と第１オフセットと前記第１高速上りパケット通信用伝送速度割当チャネルの本数とによって算出した前記第１高速上りパケット通信用伝送速度割当チャネルにおける送信電力、及び、前記共通パイロットチャネルにおける送信電力と第２オフセットと前記第２高速上りパケット通信用伝送速度割当チャネルの本数とによって算出した前記第２高速上りパケット通信用伝送速度割当チャネルにおける送信電力に基づいて、高速下りパケット通信用データチャネルにおける送信電力を決定するように構成されていることを特徴とする請求項３に記載の無線基地局。
【請求項５】
前記第１オフセットと第２オフセットとは異なるように構成されていることを特徴とする請求項４に記載の無線基地局。
【発明の詳細な説明】
【技術分野】
【０００１】
本発明は、無線基地局と移動局との間で高速上りパケット通信及び高速下りパケット通信を行う移動通信方法、移動通信システム及び無線基地局に関する。
【背景技術】
【０００２】
図５に示す移動通信システムでは、高速上りパケット通信として、３ＧＰＰで規定されているＥＵＬ（Ｅｎｈａｎｃｅｄ  Ｕｐｌｉｎｋ）/ＨＳＵＰＡ（Ｈｉｇｈ  Ｓｐｅｅｄ  Ｕｐｌｉｎｋ  Ｐａｃｋｅｔ  Ａｃｃｅｓｓ）が採用されており、高速下りパケット通信として、３ＧＰＰで規定されているＨＳＤＰＡ（Ｈｉｇｈ  Ｓｐｅｅｄ  Ｄｏｗｎｌｉｎｋ  Ｐａｃｋｅｔ  Ａｃｃｅｓｓ）が採用されている。
【０００３】
かかる移動通信システムでは、無線基地局ＮｏｄｅＢと移動局ＵＥとの間で、下りチャネル（ＥＵＬ用制御チャネル）として、高速上りパケット通信用伝送速度割当チャネルＥ-ＡＧＣＨ（Ｅ-ＤＣＨ  Ａｂｓｏｌｕｔｅ  Ｇｒａｎｔ  Ｃｈａｎｎｅｌ）及びＥ-ＲＧＣＨ（Ｅ-ＤＣＨ  Ｒｅｌａｔｉｖｅ  Ｇｒａｎｔ  Ｃｈａｎｎｅｌ）や、高速上りパケット通信用送達確認情報通知チャネルＥ-ＨＩＣＨ（Ｅ-ＤＣＨ  Ｈｙｂｒｉｄ  ＡＲＱ  Ｉｎｄｉｃａｔｏｒ  Ｃｈａｎｎｅｌ）が確立されている。
【０００４】
また、かかる移動通信システムでは、無線基地局ＮｏｄｅＢと移動局ＵＥとの間で、下りチャネル（ＨＳチャネル）として、高速下りパケット通信用データチャネルＨＳ-ＰＤＳＣＨ（Ｈｉｇｈ  Ｓｐｅｅｄ  Ｐｈｙｓｉｃａｌ  Ｄｏｗｎｌｉｎｎｋ  Ｓｈａｒｅｄ  Ｃｈａｎｎｅｌ）や、高速下りパケット通信用制御チャネルＨＳ-ＳＣＣＨ（Ｓｈａｒｅｄ  Ｃｏｎｔｒｏｌ  Ｃｈａｎｎｅｌ  ｆｏｒ  ＨＳ-ＤＳＣＨ）が確立されている。
【０００５】
さらに、かかる移動通信システムでは、無線基地局ＮｏｄｅＢと移動局ＵＥとの間で、下りチャネル（非ＨＳチャネル）として、個別物理チャネルＤＰＣＨ（Ｄｅｄｉｃａｔｅｄ  Ｐｈｙｓｉｃａｌ  Ｃｈａｎｎｅｌ）や、共通パイロットチャネルＰＣＰＩＣＨ（Ｐｒｉｍａｒｙ  Ｃｏｍｍｏｎ  Ｐｉｌｏｔ  Ｃｈａｎｎｅｌ）や、共通制御チャネルＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）が確立されている。
【０００６】
図６を参照して、ＨＳＤＰＡが採用されている移動通信システムにおいて、ＨＳ-ＰＤＳＣＨにおける送信電力を決定する方法の一例について説明する。
【０００７】
第１に、無線基地局ＮｏｄｅＢのＭＡＣ-ｈｓ機能部が、（式１）によって、各サブフレーム（ＴＴＩ：Ｔｒａｎｓｍｉｓｓｉｏｎ  Ｔｉｍｅ  Ｉｎｔｅｒｖａｌ）における電力変動マージンＰｍａｒｇｉｎを算出する。
Ｐｍａｒｇｉｎ＝（α−１）×（ＰｎｏｎＨＳ−ＰＰＣＰＩＣＨ−ＰＰＣＣＰＣＨ）…（式１）
【０００８】
ここで、αは、個別チャネル用マージン係数であり、ＰｎｏｎＨＳは、非ＨＳチャネルにおける総送信電力の測定値であり、ＰＰＣＰＩＣＨは、ＰＣＰＩＣＨにおける送信電力の測定値であり、ＰＰＣＣＰＣＨは、ＰＣＣＰＣＨにおける送信電力の測定値である。
【０００９】
第２に、無線基地局ＮｏｄｅＢのＭＡＣ-ｈｓ機能部が、（式２）によって、各サブフレーム（ＴＴＩ）のＨＳ-ＰＤＳＣＨにおける送信電力ＰＨＳＰＤＳＣＨを算出する。
ＰＨＳＰＤＳＣＨ＝Ｐｔｏｔａｌ−ＰｎｏｎＨＳ−Ｐｍａｒｇｉｎ−ＮＨＳＳＣＣＨ×ＰＨＳＳＣＣＨ…（式２）
【００１０】
ここで、Ｐｔｏｔａｌは、下りチャネルに対して割り当て可能な送信電力の上限値であり、ＮＨＳＳＣＣＨは、ＨＳ-ＳＣＣＨの設定本数であり、ＰＨＳＳＣＣＨは、各ＨＳ-ＳＣＣＨにおける送信電力である。
【特許文献１】特開２００６-１１５３５７号公報
【発明の開示】
【発明が解決しようとする課題】
【００１１】
一方、ＥＵＬ及びＨＳＤＰＡの両方が採用されている移動通信システムでは、下りチャネルとして、図６に示すチャネルに加えて、ＥＵＬ用制御チャネル（具体的には、Ｅ-ＡＧＣＨやＥ-ＲＧＣＨやＥ−ＨＩＣＨ）が追加される。
【００１２】
かかるＥＵＬ用制御チャネル上では、常に情報が送信されているのではなく、無線基地局ＮｏｄｅＢのＭＡＣ-ｅ機能部（ＥＵＬ機能部）によって指示された際に情報が送信されるように構成されている。
【００１３】
ここで、無線基地局ＮｏｄｅＢのＭＡＣ-ｈｓ機能部が、ＥＵＬ用制御チャネルにおける送信電力を考慮して、ＨＳ-ＰＤＳＣＨにおける送信電力ＰＨＳＰＤＳＣＨを決定する方法として、以下の２つの方法が考えられる。
【００１４】
第１の方法は、無線基地局ＮｏｄｅＢのＭＡＣ-ｈｓ機能部が、ＥＵＬ用制御チャネルにおいて情報の送信に必要な送信電力を常に確保した上で、各サブフレーム（ＴＴＩ）のＨＳ-ＰＤＳＣＨにおける送信電力ＰＨＳＰＤＳＣＨを決定する方法である。
【００１５】
具体的には、無線基地局ＮｏｄｅＢのＭＡＣ-ｈｓ機能部が、（式３）によって、各サブフレーム（ＴＴＩ）のＨＳ-ＰＤＳＣＨにおける送信電力ＰＨＳＰＤＳＣＨを算出する。
ＰＨＳＰＤＳＣＨ＝Ｐｔｏｔａｌ−ＰｎｏｎＨＳ−Ｐｍａｒｇｉｎ−ＮＨＳＳＣＣＨ×ＰＨＳＳＣＣＨ−ＰＥ-ＡＧＣＨ（固定）−ＰＥ-ＲＧＣＨ（固定）−ＰＥ-ＨＩＣＨ（固定）…（式３）
【００１６】
ここで、ＰＥ-ＡＧＣＨ（固定）は、Ｅ-ＡＧＣＨにおいて情報の送信に必要な送信電力（固定値）であり、ＰＥ-ＲＧＣＨ（固定）は、Ｅ-ＲＧＣＨにおいて情報の送信に必要な送信電力（固定値）であり、ＰＥ-ＨＩＣＨ（固定）は、Ｅ-ＨＩＣＨにおいて情報の送信に必要な送信電力（固定値）である。
【００１７】
しかしながら、かかる方法では、ＥＵＬ用制御チャネル上では、常に情報が送信されないにも係らず、常に、ＥＵＬ用制御チャネルにおいて情報の送信に必要な送信電力を常に確保するため、無線リソースを無駄に確保することになり、ＨＳ-ＰＤＳＣＨに対して割り当て可能な送信電力ＰＨＳＰＤＳＣＨが減少してしまうという問題点があった。
【００１８】
一方、第２の方法は、無線基地局ＮｏｄｅＢのＭＡＣ-ｈｓ機能部が、ＥＵＬ用制御チャネルにおける送信電力を測定した後に、各サブフレーム（ＴＴＩ）のＨＳ-ＰＤＳＣＨにおける送信電力ＰＨＳＰＤＳＣＨを決定する方法である。
【００１９】
具体的には、無線基地局ＮｏｄｅＢのＭＡＣ-ｈｓ機能部が、（式４）によって、各サブフレーム（ＴＴＩ）のＨＳ-ＰＤＳＣＨにおける送信電力ＰＨＳＰＤＳＣＨを算出する。
ＰＨＳＰＤＳＣＨ＝Ｐｔｏｔａｌ−ＰｎｏｎＨＳ−Ｐｍａｒｇｉｎ−ＮＨＳＳＣＣＨ×ＰＨＳＳＣＣＨ…（式４）
【００２０】
ここで、ＰｎｏｎＨＳには、Ｅ-ＡＧＣＨ、Ｅ-ＲＧＣＨ及びＥ-ＨＩＣＨにおける送信電力の測定値が含まれるものとする。
【００２１】
しかしながら、かかる方法では、ＥＵＬ用制御チャネルにおける送信電力に関する測定結果の反映遅延や測定時間の平均化等によって、かかる測定結果と実際の送信電力とが乖離する可能性があるため、Ｐｍａｒｇｉｎをある程度大きくする必要があり、ＨＳ-ＰＤＳＣＨに対して割り当て可能な送信電力ＰＨＳＰＤＳＣＨが減少してしまうという問題点があった。
【００２２】
特に、Ｅ-ＡＧＣＨにおける所要送信電力が大きいため、Ｅ-ＡＧＣＨの設定本数の時々刻々の変化に対して、Ｅ-ＡＧＣＨにおける送信電力に関する測定結果を実際の送信電力に追従させることが困難である。
【００２３】
そこで、本発明は、上述の課題に鑑みてなされたものであり、ＥＵＬ用制御チャネルにおける送信電力に関する測定結果と実際の送信電力との乖離を低減しつつ、無駄な無線リソースの利用を回避することができる移動通信方法、移動通信システム及び無線基地局を提供することを目的とする。
【課題を解決するための手段】
【００２４】
本発明の第１の特徴は、無線基地局と移動局との間で、高速上りパケット通信及び高速下りパケット通信を行う移動通信方法であって、前記高速上りパケット通信を制御する機能部が、第１送信時間間隔で、第１高速上りパケット通信用伝送速度割当チャネルを介して、第１移動局における該高速上りパケット通信用の伝送速度を該第１移動局に通知する工程と、前記高速上りパケット通信を制御する機能部が、第２送信時間間隔で、第２高速上りパケット通信用伝送速度割当チャネルを介して、第２移動局における該高速上りパケット通信用の伝送速度を該第２移動局に通知する工程と、前記高速上りパケット通信を制御する機能部が、前記高速下りパケット通信を制御する機能部に対して、前記第１送信時間間隔で、前記伝送速度を通知する前記第１高速上りパケット通信用伝送速度割当チャネルの本数を通知し、前記第２送信時間間隔で、前記伝送速度を通知する前記第２高速上りパケット通信用伝送速度割当チャネルの本数を通知する工程と、前記高速下りパケット通信を制御する機能部が、通知された前記第１高速上りパケット通信用伝送速度割当チャネルの本数及び第２高速上りパケット通信用伝送速度割当チャネルの本数に基づいて、高速下りパケット通信用データチャネルにおける送信電力を決定する工程とを有することを要旨とする。
【００２５】
本発明の第２の特徴は、無線基地局と移動局との間で、高速上りパケット通信及び高速下りパケット通信を行うように構成されている移動通信システムであって、前記無線基地局は、前記高速上りパケット通信を制御する機能部及び前記高速下りパケット通信を制御する機能部を具備しており、前記高速上りパケット通信を制御する機能部は、第１送信時間間隔で、第１高速上りパケット通信用伝送速度割当チャネルを介して、第１移動局における該高速上りパケット通信用の伝送速度を該第１移動局に通知するように構成されており、前記高速上りパケット通信を制御する機能部は、第２送信時間間隔で、第２高速上りパケット通信用伝送速度割当チャネルを介して、第２移動局における該高速上りパケット通信用の伝送速度を該第２移動局に通知するように構成されており、前記高速上りパケット通信を制御する機能部は、前記高速下りパケット通信を制御する機能部に対して、前記第１送信時間間隔で、前記伝送速度を通知する前記第１高速上りパケット通信用伝送速度割当チャネルの本数を通知し、前記第２送信時間間隔で、前記伝送速度を通知する前記第２高速上りパケット通信用伝送速度割当チャネルの本数を通知するように構成されており、前記高速下りパケット通信を制御する機能部は、通知された前記第１高速上りパケット通信用伝送速度割当チャネルの本数及び第２高速上りパケット通信用伝送速度割当チャネルの本数に基づいて、高速下りパケット通信用データチャネルにおける送信電力を決定するように構成されていることを要旨とする。
【００２６】
本発明の第３の特徴は、移動局との間で、高速上りパケット通信及び高速下りパケット通信を行うように構成されている無線基地局であって、前記高速上りパケット通信を制御する機能部及び前記高速下りパケット通信を制御する機能部を具備しており、前記高速上りパケット通信を制御する機能部は、第１送信時間間隔で、第１高速上りパケット通信用伝送速度割当チャネルを介して、第１移動局における該高速上りパケット通信用の伝送速度を該第１移動局に通知するように構成されており、前記高速上りパケット通信を制御する機能部は、第２送信時間間隔で、第２高速上りパケット通信用伝送速度割当チャネルを介して、第２移動局における該高速上りパケット通信用の伝送速度を該第２移動局に通知するように構成されており、前記高速上りパケット通信を制御する機能部は、前記高速下りパケット通信を制御する機能部に対して、前記第１送信時間間隔で、前記伝送速度を通知する前記第１高速上りパケット通信用伝送速度割当チャネルの本数を通知し、前記第２送信時間間隔で、前記伝送速度を通知する前記第２高速上りパケット通信用伝送速度割当チャネルの本数を通知するように構成されており、前記高速下りパケット通信を制御する機能部は、通知された前記第１高速上りパケット通信用伝送速度割当チャネルの本数及び第２高速上りパケット通信用伝送速度割当チャネルの本数に基づいて、高速下りパケット通信用データチャネルにおける送信電力を決定するように構成されていることを要旨とする。
【００２７】
本発明の第３の特徴において、前記高速下りパケット通信を制御する機能部は、前記共通パイロットチャネルにおける送信電力と第１オフセットと前記第１高速上りパケット通信用伝送速度割当チャネルの本数とによって算出した前記第１高速上りパケット通信用伝送速度割当チャネルにおける送信電力、及び、前記共通パイロットチャネルにおける送信電力と第２オフセットと前記第２高速上りパケット通信用伝送速度割当チャネルの本数とによって算出した前記第２高速上りパケット通信用伝送速度割当チャネルにおける送信電力に基づいて、高速下りパケット通信用データチャネルにおける送信電力を決定するように構成されていてもよい。
【００２８】
本発明の第３の特徴において、前記第１オフセットと第２オフセットとは異なるように構成されていてもよい。
【発明の効果】
【００２９】
以上説明したように、本発明によれば、ＥＵＬ用制御チャネルにおける送信電力に関する測定結果と実際の送信電力との乖離を低減しつつ、無駄な無線リソースの利用を回避することができる移動通信方法、移動通信システム及び無線基地局を提供することができる。
【発明を実施するための最良の形態】
【００３０】
（本発明の第１の実施形態に係る移動通信システムの構成）
図１乃至図３を参照して、本発明の第１の実施形態に係る移動通信システムの構成について説明する。
【００３１】
本実施形態では、高速上りパケット通信としてＥＵＬが採用されており、高速下りパケット通信としてＨＳＤＰＡが採用されている移動通信システムを例に挙げて説明するが、本発明は、かかる例に限定されるものではない。
【００３２】
図１に示すように、無線基地局ＮｏｄｅＢは、ＥＵＬ（高速上りパケット通信）を制御するＭＡＣ-ｅ機能部１０と、ＨＳＤＰＡ（高速下りパケット通信）を制御するＭＡＣ-ｈｓ機能部２０とを具備している。
【００３３】
ＭＡＣ-ｅ機能部１０は、２ｍｓ間隔（第１送信時間間隔）で、第１Ｅ-ＡＧＣＨ（第１高速上りパケット通信用伝送速度割当チャネル）を介して、第１移動局ＵＥにおけるＥＵＬ用の伝送速度（高速上りパケット通信用の伝送速度）を当該第１移動局に通知するように構成されている。
【００３４】
また、ＭＡＣ-ｅ機能部１０は、１０ｍｓ間隔（第２送信時間間隔）で、第２Ｅ-ＡＧＣＨ（第２高速上りパケット通信用伝送速度割当チャネル）を介して、第２移動局ＵＥにおけるＥＵＬ用の伝送速度（高速上りパケット通信用の伝送速度）を当該第２移動局に通知するように構成されている。
【００３５】
具体的には、ＭＡＣ-ｅ機能部１０は、第１Ｅ-ＡＧＣＨ及び第２Ｅ-ＡＧＣＨを介して、それぞれ、第１移動局ＵＥ及び第２移動局ＵＥにおけるＥＵＬ用の伝送速度に対応するインデックスであるＡＧ（Ａｂｓｏｌｕｔｅ  Ｇｒａｎｔ）を各移動局に送信するように構成されている。
【００３６】
ここで、第１移動局ＵＥ用のサブフレームは、２ｍｓと設定されており、第２移動局ＵＥ用のサブフレームは、１０ｍｓと設定されているものとする。
【００３７】
また、ＭＡＣ-ｅ機能部１０は、ＭＡＣ-ｈｓ機能部２０に対して、２ｍｓ間隔で、各サブフレームで送信される第１Ｅ-ＡＧＣＨの本数を通知し、１０ｍｓ間隔で、各フレームで送信される第２Ｅ-ＡＧＣＨの本数を通知するように構成されている。
【００３８】
図２の例では、ＭＡＣ-ｅ機能部１０は、ＭＡＣ-ｈｓ機能部２０に対して、サブフレーム＃１において、第１Ｅ-ＡＧＣＨの本数「０」及び第２Ｅ-ＡＧＣＨの本数「１」を通知している。
【００３９】
また、ＭＡＣ-ｅ機能部１０は、ＭＡＣ-ｈｓ機能部２０に対して、サブフレーム＃２において、第１Ｅ-ＡＧＣＨの本数「０」を通知し、サブフレーム＃３において、第１Ｅ-ＡＧＣＨの本数「３」を通知し、サブフレーム＃４において、第１Ｅ-ＡＧＣＨの本数「０」を通知し、サブフレーム＃５において、第１Ｅ-ＡＧＣＨの本数「１」を通知している。
【００４０】
さらに、ＭＡＣ-ｅ機能部１０は、ＭＡＣ-ｈｓ機能部２０に対して、サブフレーム＃６において、第１Ｅ-ＡＧＣＨの本数「０」及び第２Ｅ-ＡＧＣＨの本数「２」を通知している。
【００４１】
また、ＭＡＣ-ｅ機能部１０は、ＭＡＣ-ｈｓ機能部２０に対して、サブフレーム＃７において、第１Ｅ-ＡＧＣＨの本数「０」を通知し、サブフレーム＃８において、第１Ｅ-ＡＧＣＨの本数「２」を通知し、サブフレーム＃９において、第１Ｅ-ＡＧＣＨの本数「０」を通知し、サブフレーム＃１０において、第１Ｅ-ＡＧＣＨの本数「０」を通知している。
【００４２】
ＭＡＣ-ｈｓ機能部２０は、Ｅ-ＡＧＣＨ送信電力決定部２１と、ＨＳ-ＳＣＣＨ送信電力決定部２２と、非ＨＳチャネル送信電力測定部２３と、ＨＳ-ＰＤＳＣＨ送信電力決定部２４と、ＭＡＣ-ｈｓ送信部２５とを具備している。
【００４３】
Ｅ-ＡＧＣＨ送信電力決定部２１は、ＭＡＣ-ｅ機能部１０から事前に通知されている第１Ｅ-ＡＧＣＨの本数及び第２Ｅ-ＡＧＣＨの本数に基づいて、各サブフレームにおけるＥ-ＡＧＣＨの総送信電力を決定するように構成されている。
【００４４】
具体的には、Ｅ-ＡＧＣＨ送信電力決定部２１は、（式５-１）又は（式５-２）によって、Ｅ-ＡＧＣＨにおける総送信電力ＰＥ-ＡＧＣＨを決定するように構成されている。
ＰＥ-ＡＧＣＨ＝ＰＰＣＰＩＣＨ×Ｏｆｆｓｅｔ＃１×ＮＥ-ＡＧＣＨ＃１＋ＰＰＣＰＩＣＨ×Ｏｆｆｓｅｔ＃２×ＮＥ-ＡＧＣＨ＃２…（式５-１）
ＰＥ-ＡＧＣＨ＝（ＰＰＣＰＩＣＨ＋Ｏｆｆｓｅｔ＃１）×ＮＥ-ＡＧＣＨ＃１＋（ＰＰＣＰＩＣＨ＋Ｏｆｆｓｅｔ＃２
）×ＮＥ-ＡＧＣＨ＃２…（式５-２）  
ここで、ＰＰＣＰＩＣＨは、ＰＣＰＩＣＨ（共通パイロットチャネル）における送信電力であり、Ｏｆｆｓｅｔ＃１は、ＰＣＰＩＣＨにおける送信電力に対する第１オフセット（固定値）であり、Ｏｆｆｓｅｔ＃２は、ＰＣＰＩＣＨにおける送信電力に対する第２オフセット（固定値）であり、ＮＥ-ＡＧＣＨ＃１は、ＭＡＣ-ｅ機能部１０から通知された第１Ｅ-ＡＧＣＨの本数であり、ＮＥ-ＡＧＣＨ＃２は、ＭＡＣ-ｅ機能部１０から通知された第２Ｅ-ＡＧＣＨの本数である。
【００４５】
また、第１オフセット（固定値）及び第２オフセット（固定値）は、異なるように構成されていてもよいし、同じとなるように構成されていてもよい。
【００４６】
ここで、第２Ｅ-ＡＧＣＨは、２ｍｓ間隔で同じ情報（ＡＧ）を５回繰り返して送信するように構成されており、第１Ｅ-ＡＧＣＨと比べて、所要送信電力を低く抑えることができるため、第２オフセットを第１オフセットよりも小さくするように設定してもよい。
【００４７】
なお、ＴＳ２５.２１１の７.１章及び７.１２章に示すように、ＰＣＰＩＣＨにおける送信タイミング（ＰＣＰＩＣＨ用サブフレーム）と第１Ｅ-ＡＧＣＨにおける送信タイミング（Ｅ-ＡＧＣＨ用サブフレーム）とは５１２０チップずれているものとする。
【００４８】
上述のように、Ｅ-ＡＧＣＨにおける総送信電力を、個別物理制御チャネルＤＰＣＣＨのパイロットチャネルにおける送信電力に対するオフセットによって決定しない理由は、ＤＰＣＣＨにおける送信電力は、ＴＰＣ（Ｔｒａｎｓｍｉｓｓｉｏｎ  Ｐｏｗｅｒ  Ｃｏｎｔｒｏｌ）によって変動するものであるため、ＭＡＣ-ｅ機能部１０からＥ-ＡＧＣＨ送信電力決定部２１に対して第１Ｅ-ＡＧＣＨの本数及び第２Ｅ-ＡＧＣＨの本数を通知する遅延時間の間に、ＤＰＣＣＨにおける送信電力が変動する結果、実際のＥ-ＡＧＣＨにおける総送信電力が、ＭＡＣ-ｅ機能部１０によって予測したＥ-ＡＧＣＨにおける総送信電力から変動してしまうことである。
【００４９】
したがって、本実施形態では、Ｅ-ＡＧＣＨ送信電力決定部２１は、Ｅ-ＡＧＣＨにおける総送信電力を、固定値であるＰＣＰＩＣＨにおける送信電力に対するオフセットによって決定するように構成されている。
【００５０】
ＨＳ-ＳＣＣＨ送信電力決定部２２は、ＨＳ-ＳＣＣＨにおける送信電力を決定するように構成されている。
【００５１】
非ＨＳチャネル送信電力測定部２３は、非ＨＳチャネルにおける送信電力を測定するように構成されている。ここで、非ＨＳチャネルには、ＰＣＰＩＣＨや、ＰＣＣＰＣＨや、Ｅ-ＲＧＣＨや、Ｅ-ＨＩＣＨ等が含まれる。
【００５２】
ＨＳ-ＰＤＳＣＨ送信電力決定部２４は、図３に示すように、Ｅ-ＡＧＣＨ送信電力決定部２１によって決定されたＥ-ＡＧＣＨにおける総送信電力と、ＨＳ-ＳＣＣＨ送信電力決定部２２によって決定されたＨＳ-ＳＣＣＨにおける送信電力と、非ＨＳチャネル送信電力測定部２３によって測定された非ＨＳチャネルにおける送信電力とに基づいて、ＨＳ-ＰＤＳＣＨにおける送信電力を決定するように構成されている。
【００５３】
換言すると、ＨＳ-ＰＤＳＣＨ送信電力決定部２４は、ＰＣＰＩＣＨ（共通パイロットチャネル）における送信電力ＰＰＣＰＩＣＨと第１オフセットＯｆｆｓｅｔ＃１と第１Ｅ-ＡＧＣＨの本数ＮＥ-ＡＧＣＨ＃１とによって算出した第１Ｅ-ＡＧＣＨにおける送信電力ＰＥ-ＡＧＣＨ＃１、及び、ＰＣＰＩＣＨにおける送信電力ＰＰＣＰＩＣＨと第２オフセットＯｆｆｓｅｔ＃２と第２Ｅ-ＡＧＣＨの本数ＮＥ-ＡＧＣＨ＃２とによって算出した第２Ｅ-ＡＧＣＨにおける送信電力ＰＥ-ＡＧＣＨ＃２に基づいて、ＨＳ-ＰＤＳＣＨにおける送信電力ＰＨＳＰＣＳＣＨを決定するように構成されている。
【００５４】
具体的には、ＨＳ-ＰＤＳＣＨ送信電力決定部２４は、（式６）によって、各サブフレームのＨＳ-ＰＤＳＣＨにおける送信電力ＰＨＳＰＣＳＣＨを決定するように構成されている。
ＰＨＳＰＤＳＣＨ＝Ｐｔｏｔａｌ−ＰｎｏｎＨＳ−Ｐｍａｒｇｉｎ―ＰＥ-ＡＧＣＨ―ＮＨＳＳＣＣＨ×ＰＨＳＳＣＣＨ…（式６）
【００５５】
ＭＡＣ-ｈｓ送信部２５は、ＨＳ-ＰＤＳＣＨ送信電力決定部２４によって決定された送信電力で、ＨＳ-ＰＤＳＣＨを介して、ＭＡＣ-ｈｓ  ＰＤＵを送信するように構成されている。
【００５６】
（本発明の第１の実施形態に係る移動通信システムの動作）
図４を参照して、本発明の第１の実施形態に係る移動通信システムの動作について説明する。
【００５７】
図４に示すように、ステップＳ１０１において、無線基地局ＮｏｄｅＢのＭＡＣ-ｈｓ機能部２０が、非ＨＳチャネル（ＰＣＰＩＣＨやＰＣＣＰＣＨやＥ-ＲＧＣＨやＥ-ＨＩＣＨ等）における送信電力を測定する。
【００５８】
ステップＳ１０２において、無線基地局ＮｏｄｅＢのＭＡＣ-ｈｓ機能部２０が、ＨＳ-ＳＣＣＨにおける送信電力を決定する。
【００５９】
無線基地局ＮｏｄｅＢのＭＡＣ-ｈｓ機能部２０が、ステップＳ１０３において、ＭＡＣ-ｅ機能部１０から、各サブフレームにおける第１Ｅ-ＡＧＣＨの本数及び第２Ｅ-ＡＧＣＨの本数を取得し、ステップＳ１０４において、取得した第１Ｅ-ＡＧＣＨの本数及び第２Ｅ-ＡＧＣＨの本数を用いて、Ｅ-ＡＧＣＨにおける総送信電力を決定する。
【００６０】
ステップＳ１０５において、無線基地局ＮｏｄｅＢのＭＡＣ-ｈｓ機能部２０が、ステップＳ１０１において測定された非ＨＳチャネルにおける送信電力と、ステップＳ１０２において決定されたＨＳ-ＳＣＣＨにおける送信電力と、ステップＳ１０３において決定されたＥ-ＡＧＣＨにおける総送信電力とに基づいて、ＨＳ-ＰＤＳＣＨに対して割り当て可能な送信電力を算出する。
【００６１】
無線基地局ＮｏｄｅＢのＭＡＣ-ｈｓ機能部２０が、ステップＳ１０６において、ステップＳ１０５において算出された送信電力の範囲で、ＨＳ-ＰＤＳＣＨにおける送信電力を設定し、ステップＳ１０７において、設定した送信電力で、ＨＳ-ＰＤＳＣＨを介して、ＭＡＣ-ｈｓ  ＰＤＵを送信する。
【００６２】
（本発明の第１の実施形態に係る移動通信システムの作用・効果）
本実施形態に係る移動通信システムによれば、無線基地局ＮｏｄｅＢのＭＡＣ-ｈｓ機能部２０が、ＴＰＣ制御が行われないため固定電力であるＰＣＰＩＣＨにおける送信電力からのオフセット（固定値）によってＥ-ＡＧＣＨにおける送信電力を決定するように構成されているため、ＴＰＣ制御が行われるため変更するＤＰＣＣＨにおける送信電力からのオフセットを用いる場合と比べて、ＭＡＣ-ｅ機能部１０により推定されたＥ-ＡＧＣＨにおける送信電力と実際のＥ-ＡＧＣＨにおける送信電力との乖離を低減することができる。
【００６３】
また、ＭＡＣ-ｅ機能部１０によって決定された各サブフレームにおいてＡＧを通知するＥ-ＡＧＣＨの本数と上述のオフセットとの乗算結果をＥ-ＡＧＣＨにおける送信電力と決定するように構成されているため、実際のＥ-ＡＧＣＨにおける送信電力を測定する場合と比べて、遅延時間の影響をなくすことができ、ＭＡＣ-ｅ機能部１０により推定されたＥ-ＡＧＣＨにおける送信電力と実際のＥ-ＡＧＣＨにおける送信電力との乖離をなくしつつ、無駄な無線リソースの利用を回避することができる。
【００６４】
なお、上述の移動局ＵＥや無線基地局ＮｏｄｅＢや無線制御装置ＲＮＣの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ＮｏｄｅＢや無線制御装置ＲＮＣ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６８】
【図１】本発明の第１の実施形態に係る無線基地局の機能ブロック図である。
【図２】本発明の第１の実施形態に係る無線基地局のＭＡＣ-ｅ機能部からＭＡＣ-ｈｓ機能部（Ｅ-ＡＧＣＨ送信電力決定部）への通知内容の一例を示す図である。
【図３】本発明の第１の実施形態に係る無線基地局によって割り当てられる下りチャネルの送信電力の一例を示す図である。
【図４】本発明の第１の実施形態に係る無線基地局の動作を示すフローチャートである。
【図５】３ＧＰＰに規定されている移動通信システムで用いられている下りチャネルの一例を示す図である。
【図６】従来の無線基地局によって割り当てられる下りチャネルの送信電力の一例を示す図である。
【符号の説明】
【００６９】
ＮｏｄｅＢ…無線基地局
１０…ＭＡＣ-ｅ機能部
２０…ＭＡＣ-ｈｓ機能部
２１…Ｅ-ＡＧＣＨ送信電力決定部
２２…ＨＳ-ＳＣＣＨ送信電力決定部
２３…非ＨＳチャネル送信電力測定部
２４…ＨＳ-ＰＤＳＣＨ送信電力決定部
２５…ＭＡＣ-ｈｓ送信部
ＵＥ…移動局
【図１】
0004937152.tif 000002
【図２】
0004937152.tif 000003
【図３】
0004937152.tif 000004
【図４】
0004937152.tif 000005
【図５】
0004937152.tif 000006
【図６】
0004937152.tif 000007